(57)【特許請求の範囲】
【請求項１】
モータ／ジェネレータのステータコアまたはロータコアのスロットに挿入されて配設される絶縁シートであって、
算術平均粗さ（Ｒａ）０．０５μｍ以上０．１μｍ以下、且つ、最大高さ粗さ（Ｒｚ）０．５μｍ以上１．０μｍ以下の表面粗さを有する樹脂フィルムが用いられており、しかも、前記表面粗さを有する面を前記スロットの内壁面と接する表面に露出させた状態で前記樹脂フィルムが用いられていることを特徴とする絶縁シート。
【請求項２】
前記樹脂フィルムが、ポリイミド樹脂フィルム、ポリエーテルエーテルケトン樹脂フィルム、ポリエーテルイミド樹脂フィルム、ポリフェニレンサルファイド樹脂フィルム、および、超高分子量ポリエチレン樹脂フィルムの内のいずれかである請求項１記載の絶縁シート。
【請求項３】
スロットライナである請求項１または２記載の絶縁シート。
【請求項４】
ウェッジである請求項１または２記載の絶縁シート。
【発明の詳細な説明】
【技術分野】
【０００１】
本発明は、モータ／ジェネレータのステータやロータに用いられる絶縁シートに関し、より詳しくは、ステータコアコアやロータコアのスロットに挿入されて配設される絶縁シートに関する。
【背景技術】
【０００２】
従来、電力によって回転動力を発生させるモータや回転動力を電力に変換するジェネレータなどの装置が、鉄道や電気自動車などに広く用いられており、このモータとジェネレータとは、互いに共通する原理を利用した装置である。そして、鉄道や電気自動車用の駆動用モータなどにおいては、制動時に駆動用モータをジェネレータとして作用させて回生電力を有効活用することなども行われている。
通常、モータやジェネレータには、固定配置されたステータと、該ステータに対して回転可能に設けられたロータとが備えられており、このステータやロータには、エナメル線などの巻線で形成されたコイルが設けられたりしている。
そして、モータにおいては、例えば、ステータの巻線に通電してコイルで磁界を発生させ、該磁界により永久磁石が用いられてなるロータとの間に反発力を発生させてロータを回転させたり、あるいは、ロータの巻線に通電してコイルで磁界を発生させ、永久磁石が用いられたステータとの間に反発力を発生させてロータを回転させたりしている。
また、ジェネレータにおいては、永久磁石が配設されたロータの回転によって生じる磁界の変動によりステータに配設されたコイルに誘導電位を発生させたりしている。
【０００３】
このコイルは、通常、ステータコアやロータコアに形成されたスロットと呼ばれる溝の内部に巻線を配設させてステータやロータに備えられている。
このスロットは、通常、モータやジェネレータの回転軸方向と平行な方向に沿って延在されており、前記回転軸周りに、略均等な間隔でステータコアやロータコアの表面に複数条形成されている。
そして、スロットは、ステータコアやロータコアの全長にわたる長さに形成されておりステータコアやロータコアの両端面には開口部が形成されている。
このステータコアやロータコアの形成には、モータやジェネレータの運転効率の観点から高い透磁率を有する鋼材などが用いられている。
そのため、例えば、巻線とコア端面のエッジ部との接触などで巻線の絶縁被膜に傷が発生することを防止すべく、巻線は、スロットライナやウェッジなどの絶縁シートで包囲されてスロット内に配設されている（特許文献１参照）。
このスロットライナやウェッジなどの絶縁シートには、特許文献１に記載されているようなマイカシートや、あるいは、アラミド紙などが広く用いられている。
【０００４】
この絶縁シートは、特許文献２に記載されているように、通常、ステータコアやロータコアの端面の開口部からスロット内に挿入されて配設されており、特に、アラミド紙は、一般的な樹脂フィルムなどに比べてすべり性に優れた表面性状を有しており、スロットへの挿入作業時の作業性に優れている。
【０００５】
ところで、モータやジェネレータには、特に近年、小型で高効率なものが求められており、巻線の占積率の増大が求められている。
従来、マイカシートやアラミド紙は、樹脂フィルムなどに比べて薄肉化によってピンホールなどが形成されやすく、絶縁信頼性の低下を抑制しつつ薄肉化させることが困難である。
しかも、アラミド紙は、同じ厚みの樹脂フィルムに比べてコシがなく、座屈を生じ易いことから薄肉化させるとスロットへの挿入時に座屈を生じさせるおそれがある。
さらには、アラミド紙は、そもそも５０μｍ以上の製品しか市販されておらず樹脂フィルムと違って５０μｍ未満の薄手の製品を入手すること自体困難である。
このようなことから、従来のスロットライナやウェッジなどの絶縁シートとしては、複数枚のマイカシートやアラミド紙が接着剤を介して複数枚積層された積層構造を有する厚みの厚いものしか用いられておらず、従来の絶縁シートは、通常、数百μｍ程度の厚みを有している。
そして、スロット内の巻線の占積率が高い場合においても優れたスロット挿入作業性を有する絶縁シートは、アラミド紙以外にはいまだ見出されておらず、スロット挿入作業性の低下を抑制しつつ絶縁シートを薄肉化させることが従来困難な状況となっている。
【０００６】
したがって、スロットにおける巻線の収容スペースの拡大も困難となっており、モータやジェネレータにおける占積率の増大という要望を満足させることが困難な状況となっている。
【０００７】
【特許文献１】特開２００３−１１１３２８号公報
【特許文献２】特開２００７−６６７７号公報
【発明の開示】
【発明が解決しようとする課題】
【０００８】
本発明の課題は、スロットへの挿入作業性の低下を抑制しつつ薄肉化された絶縁シートを提供することにある。
【課題を解決するための手段】
【０００９】
本発明者らは、絶縁シートの表面性状に着目して、スロットへの挿入作業性について鋭意検討を行ったところ、所定表面粗さを有する樹脂フィルムがアラミド紙と同等のすべり性を有していることを見出して本発明の完成に到ったのである。
すなわち、本発明は、前記課題を解決すべく、モータ／ジェネレータのステータコアまたはロータコアのスロットに挿入されて配設される絶縁シートであって、算術平均粗さ（Ｒａ）０．０５μｍ以上０．１μｍ以下、且つ、最大高さ粗さ（Ｒｚ）０．５μｍ以上１．０μｍ以下の表面粗さを有する樹脂フィルムが用いられており、しかも、前記表面粗さを有する面を前記スロットの内壁面と接する表面に露出させた状態で前記樹脂フィルムが用いられていることを特徴とする絶縁シートを提供する。
【００１０】
なお、本明細書中における“モータ／ジェネレータ”との用語は、“モータのみとして機能するもの”、“ジェネレータのみとして機能するもの”、及び、“モータとしてもジェネレータとしても機能するもの”の全てを包含する意味で用いている。
【発明の効果】
【００１１】
本発明によれば、絶縁シートに算術平均粗さ（Ｒａ）０．０５μｍ以上０．１μｍ以下、且つ、最大高さ粗さ（Ｒｚ）０．５μｍ以上１．０μｍ以下の表面粗さを有する樹脂フィルムが用いられており、しかも、前記表面粗さを有する面を絶縁シートの表面に露出させた状態で前記樹脂フィルムが用いられている。
したがって、絶縁シートの表面を、アラミド紙が用いられた従来の絶縁シートと同等のすべり性とし得る。
しかも、樹脂フィルムを用いることで、アラミド紙を用いる場合に比べてピンホールの発生を抑制しつつ薄肉化を実施し得る。
さらには、樹脂フィルムを用いることで、アラミド紙を用いる場合に比べて絶縁シートにコシを付与させ易く座屈強度を向上させ得る。
すなわち、スロットへの挿入作業性の低下を抑制しつつ薄肉化された絶縁シートを提供し得る。
【発明を実施するための最良の形態】
【００１２】
以下に、本発明の好ましい実施の形態について（添付図面に基づき）説明する。
【００１３】
図１は、回転軸に垂直な平面で誘導モータを切断した場合の断面の概略を示した概略図であり、図２は、図１において記号「Ａ」で示されている破線で囲まれた領域を拡大した拡大図である。
【００１４】
１０は、誘導モータの略中心部に配設された細長い円柱形状を有する回転軸を表している。
２０は、該回転軸１０の外周側に周設されているロータコアを表しており、該ロータコアは、前記回転軸１０を挿通させ得る貫通孔を一端側から他端側に貫通させた全体略円筒形状に形成されている。
該回転軸１０とロータコア２０とは、固定一体化されて前記回転軸１０周りに回転可能な状態で誘導モータに備えられている。
【００１５】
３０は、誘導モータ内に固定されて配設されているステータコアを表しており、該ステータコア３０は、前記ロータコア２０の円筒形状の外径よりも僅かに大きな内径を有する全体略円筒形状に形成されており、しかも、円筒形状の内側に形成されている中空領域をモータの回転軸が延在する方向に沿わせた状態で誘導モータ内に固定されて配設されている。
そして、ステータコア３０は、その円筒形状の内周面とロータコア２０の外周面との間に僅かに空隙を形成させて中空領域にロータコア２０を収容させた状態で誘導モータに配設されている。
【００１６】
３１は、ステータコア３０の内周面側に形成された複数条のスロットを表しており、この複数のスロット３１は、前記回転軸１０の延在方向に略平行して延在されており、しかも、隣接するスロット３１が互いに略平行して配設されている。
そして、ステータコア３０の内周面側には、このスロット３１によって、ステータコア３０の一端側から他端側にいたる長さ（テータコア３０の全長）を有する直線状の開口部３１ａが互いに略平行して複数形成されている。
また、スロット３１は、ステータコア３０を長さ方向に貫通する状態で形成されており、ステータコア３０の一方の端面と他方の端面には、スロット３１の断面形状と同形状の開口部が形成されている。
さらに、ステータコア３０の内周面から外周側に向けてのスロット３０の深さは、全てのスロット３１において略同一深さとされている。
【００１７】
３２は、ステータコア３０の内周面側に形成された複数のスロット１１によって、回転軸１０方向に向けて突出した状態に形成されたティースである。
該ティース３２は、突出方向先端部に他部よりも広幅に形成された広幅部３２ａを有しており、スロット３０の延在方向（回転軸１０の延在方向）に垂直な平面による断面が略Ｔ字状となる形状を有している。
このロータコア２０やステータコア３０の形成には、特に限定されるものではないが、例えば、電磁鋼板を前記回転軸１０の軸方向に積層させた積層体などを用いることができる。
【００１８】
４０は、このスロット３１に収容されてステータコア３０とともにステータを構成するコイルに用いられている巻線を表している。
【００１９】
そして、５１は、該巻線４０とスロット３１の内壁面との間に介装された状態でステータに配設されており、主として、巻線４０がステータコア３０に収容される前にスロット３１に挿入されて配設される絶縁シート（以下「スロットライナ」ともいう）であり、該スロットライナ５１は、スロット３１の延在方向（回転軸１０の延在方向）に垂直な平面による断面が、回転軸１０方向に向けて開口された略コの字状となる状態で配設されている。
また、スロットライナ５１は、スロット３１の長さよりも僅かに長く形成されており、ステータコア３０の一方の端面と他方の端面とに形成されたスロット３１の開口部のエッジ部分と巻線４０とが直接接触して、巻線４０が傷ついたりすることを防止し得るように、その両端部を、ステータコア３０の端面に形成されたスロット３１の開口部からそれぞれ突出させて配設されている。
【００２０】
５２は、スロットライナ５１とともに用いられ、主として、巻線４０がステータコア３０に収容された後にスロット３１に挿入されて配設される絶縁シート（以下「ウェッジ５２」ともいう）を表している。
このウェッジ５２は、スロットライナ５１の回転軸１０方向の開口部を覆う状態で配設されており、スロットライナ５１のコの字状断面に対向するコの字状断面を有し、スロットライナ５１とウェッジ５２とは、そのコの字形状の先端部を重畳させてスロット３１内に配設されている。
そして、スロット３１内においては、ウェッジ５２のコの字状断面形状における先端部は、スロットライナ５１のコの字状断面形状における先端部よりも外側に位置させて重畳されている。
すなわち、スロット３１内においては、ウェッジ５２のコの字形状における先端部は、スロットライナ５１のコの字形状における先端部とスロット３１の内壁面との間に挟持された状態とされている。
このウェッジ５２もスロット３１の長さよりも僅かに長く形成されており、巻線４０は、スロット３１内においては、このスロットライナ５１とウェッジ５２とにより包囲されてステータコア３０に配設されている。
【００２１】
このスロットライナ５１、ならびに、ウェッジ５２は、いずれも単一の樹脂フィルムで形成されており、しかも、その表面は算術平均粗さ（Ｒａ）０．０５μｍ以上０．１μｍ以下、且つ、最大高さ粗さ（Ｒｚ）０．５μｍ以上１．０μｍ以下の表面粗さを有している。
アラミド紙が用いられた従来のスロットライナやウェッジは、通常、３５０μｍ程度の厚さを有する。したがって、このような従来のスロットライナやウェッジに対しては、前記樹脂フィルムが、例えば、３３０μｍ以下の厚みであれば巻線の占積率を向上させ得る。
また、前記樹脂フィルムとしては、３００μｍ以下であることがより好ましく、２００μｍ以下であることがさらに好ましい。
なお、絶縁シートの厚みを薄肉化させると、薄肉化とともに座屈強度が低下するおそれがある。したがって、このような厚みの薄い樹脂フィルムとしては、成形品の曲げ弾性率が高い値を示す樹脂が用いられて形成されたものが好適である。
【００２２】
また、上記のような表面粗さを有する樹脂フィルムが用いられるのは、算術平均粗さ（Ｒａ）が上記範囲から外れた値となる場合には、スロット３１内壁面との間のすべり性に乏しいものとなり、スロット３１への挿入時に引っ掛かりを生じて絶縁シートに座屈が発生したり、シワが生じたりして挿入作業性を低下させるおそれを有するためである。
また、最大高さ粗さ（Ｒｚ）が１．０μｍを超えると、この最大高さ粗さ（Ｒｚ）を有する箇所において裂けが発生したりするおそれがあるためである。
なお、樹脂フィルムの表裏両面が必ずしも上記表面粗とされていなくともよく、要すれば、スロットライナ５１やウェッジ５２などの絶縁シートがスロット３１の内壁面と接触する表面側のみが上記粗さとなるように、例えば、一面側が算術平均粗さ（Ｒａ）０．０５μｍ以上０．１μｍ以下、且つ、最大高さ粗さ（Ｒｚ）０．５μｍ以上１．０μｍ以下の表面粗さを有し、他面側が表面平滑に形成された樹脂フィルムを用いることも可能である。
【００２３】
なお、この算術平均粗さ（Ｒａ）ならびに最大高さ粗さ（Ｒｚ）については、ＪＩＳ  Ｂ６０１−２００１に定義されており、例えば、株式会社東京精密製の表面粗さ測定器（型名「ＳＵＲＣＯＭ  １４００Ｄ−３ＤＦ」）を用いて、触針先端半径Ｒ＝２μｍ、評価長さ１０ｍｍ、基準長さ２ｍｍ、カットオフ値  ０．８ｍｍ、ならびに、測定速度３ｍｍ／秒の測定条件により測定することができる。
【００２４】
このスロットライナ５１やウェッジ５２などの絶縁シートに用いる樹脂フィルムとしては、絶縁性とともに優れた耐熱性を有し、例えば、直流にあっては７５０Ｖを、交流にあっては６００Ｖを超える電圧で運転される高圧モータなどにおいても好適に使用し得る点において、ポリイミド樹脂フィルム、ポリエーテルイミド樹脂フィルム、ポリエーテルエーテルケトン樹脂フィルム、ポリエーテルイミド樹脂フィルム、ポリフェニレンサルファイド樹脂フィルム、および、超高分子量ポリエチレン樹脂フィルムの内のいずれかであることが好ましい。
なかでも、ポリイミド樹脂フィルムや超高分子量ポリエチレン樹脂フィルムが特に好適である。
【００２５】
また、一面側に例えばポリイミド樹脂が用いられ、他面側に例えば超高分子量ポリエチレン樹脂が用いられるなどして異なる樹脂が積層されて形成された２層構造の樹脂フィルムや、あるいは、３層以上の積層構造を有する樹脂フィルムなども絶縁シートに用いることができる。
例えば、ポリエチレンテレフタレートやポリエチレンナフタレートフィルムを中心層とし、接着層を介してこの中心層の両面にポリイミド樹脂フィルムや超高分子量ポリエチレン樹脂フィルムを用いて表面層を形成させた、表面層／接着層／中心層／接着層／表面層の５層構造の積層フィルムを絶縁シートとして用いることも可能である。
このような構造を採用することにより、ポリエチレンテレフタレートやポリエチレンナフタレートフィルムの優れた座屈強度を絶縁シートに反映させつつ、ポリイミド樹脂フィルムや超高分子量ポリエチレン樹脂フィルムの優れた耐湿熱性や耐電圧特性を絶縁シートに反映させることができる。
【００２６】
なお、この“超高分子量ポリエチレン”との用語は、本明細書中においては、ＪＩＳ  Ｋ  ６９３６−１、−２に記載されているようにＪＩＳ  Ｋ  ７２１０によるメルトフローレートを測定することができず、１９０℃、２１．６ｋｇの条件によりメルトマスフローレート（ＭＦＲ）を測定した際に０．１ｇ／１０ｍｉｎ未満となるポリエチレン材料を意図して用いている。
【００２７】
このような、樹脂フィルムで形成されたスロットライナ５１やウェッジ５２は、ステータコア３０の一端面に形成された開口部からスロット３１の延在方向に沿ってスロット３１内に挿入する際に、スロット３１内壁面との間に優れたすべり性を発揮し、引っ掛かりを生じて絶縁シートに座屈が発生したり、シワが生じたりして挿入作業性が低下するおそれを抑制させ得る。
しかも、スロット３１内における巻線４０の収容スペースを、従来に比べて増大させ得る。
【００２８】
このことについて、示す従来のスロットライナ５１ｘや従来のウェッジ５２ｘを配設させた場合の概略断面図である図３を参照しつつさらに説明する。
従来のスロットライナ５１ｘやウェッジ５２ｘは、例えば、ポリエステル樹脂フィルムの両面に接着剤を介してアラミド紙が接着されて形成されていたり、あるいは、複数枚のマイカシートが積層されていたりして、数百μｍ程度の厚みに形成されている。
このようにスロットライナ５１ｘやウェッジ５２ｘの厚みが厚いため、スロット３１の内部における巻線４０の収容スペースが圧迫されて占積率の高い状態でステータコア３０にコイルを配設することが従来困難であった。
また、このような積層構造を有する従来のスロットライナ５１ｘは、コシが必要以上に強く、マイカシートなどが用いられているような場合においては、特に剛直なものとなっている。
そのため、スロット３１の内面形状に沿わせて配設することが困難で、例えば、角部Ｃなどのスロット３１の内壁が曲折する箇所においては、スロット３１の内壁面とスロットライナ５１ｘとの間にすき間Ａが生じやすく、該すき間がデッドスペースとなってスロット３１の収容スペースを巻線４０の収容のために十分有効に活用することが困難であった。
【００２９】
一方で、本発明に係るスロットライナ５１やウェッジ５２などの絶縁シートにおいては、スロット３１の角部などにおいてもすき間が生じにくく、スロット３１の収容スペースを巻線４０の収容のために十分有効に活用させ得るばかりでなく、スロットライナ５１やウェッジ５２自体の厚みも５０μｍ以下となっていることから、従来のスロットライナ５１ｘやウェッジ５２ｘを用いた場合に比べて、スロット３１内における巻線４０の収容スペースを増大させることができ、占積率の高い状態でステータコア３０にコイルを配設することができる。
【００３０】
なお、本実施形態においては、誘導モータのステータコアに設けられたスロットに挿入されてステータコアに配設されるスロットライナとウェッジとを例に絶縁シートを説明したが、本発明に係る絶縁シートの用途を上記のような場合に限定するものではない。
本実施形態においては、すべり性などの特性を挿入作業性に特に反映させ得る点においてスロットライナとウェッジとを例に説明したが、本発明は、絶縁シートをこれらに限定するものではなく、スロットに挿入されてステータコアに配設されるもの全般を意図している。
【００３１】
そして、本実施形態においては、ステータコアに配設される場合を例に絶縁シートを説明したが、本発明は、絶縁シートをステータコアに配設されるものに限定するものではなくロータコアに配設されるものであってもよい。
また、本実施形態においては、モータのステータコアに配設される場合を例に絶縁シートを説明したが、本発明に係る絶縁シートは、モータのステータやロータに用途が限定されるものではなく、ジェネレータのステータやロータ、あるいは、モータとしてもジェネレータとしても機能する装置のステータやロータにも本実施形態と同様に用いることも可能である。
【実施例】
【００３２】
次に実施例を挙げて本発明をさらに詳しく説明するが、本発明はこれらに限定されるものではない。
【００３３】
（実施例１）
（絶縁シート）
（樹脂フィルム）
実施例１の絶縁シートには、以下のような積層構造を有する樹脂フィルムを用いた。
構造：ポリイミド樹脂層（２５μｍ）／接着層（１５μｍ）／ポリエチレンナフタレート樹脂層（２５０μｍ）／接着層（１５μｍ）／ポリイミド樹脂層（２５μｍ）の５層構造の総厚み３３０μｍ
表面粗さ（ポリイミド樹脂層の表面粗さ）：算術平均粗さ（Ｒａ）＝０．０７μｍ、最大高さ粗さ（Ｒｚ）＝０．７８μｍ
なお、この表面粗さは、ＪＩＳ  Ｂ６０１−２００１に準拠して、株式会社東京精密製の表面粗さ測定器（型名「ＳＵＲＣＯＭ  １４００Ｄ−３ＤＦ」）を用いて、触針先端半径Ｒ＝２μｍ、評価長さ１０ｍｍ、基準長さ２ｍｍ、カットオフ値  ０．８ｍｍ、ならびに、測定速度３ｍｍ／秒の測定条件により測定したものである。
【００３４】
（ウエッジ成形）
上記樹脂フィルムを図４に示すような幅９ｍｍの矢羽形状に切断した後に、図中の破線に沿って幅方向両端部を同方向に９０度折り曲げて断面コの字状のウェッジを作製した。
【００３５】
（評価）
（挿入作業性）
ウエッジ挿入機を用いて、スロットへの挿入作業性を評価した。
作業性については、後段に示す従来のウェッジ（従来例）を基準として、従来例と同等の場合「○」として判定した。
また、従来のウェッジよりも、座屈などが生じにくく滑らかに挿入することができた場合を「◎」として判定した。
さらに、座屈や引っ掛かりなどが発生しやすく、従来のウェッジよりも、慎重な作業を必要とする場合を「×」として判定した。
【００３６】
（座屈強度の測定）
また、あわせて座屈強度の測定を実施した。
測定は、以下のように実施した。
まず、幅５７ｍｍ×長さ６２ｍｍの試料を２枚用意し、この２枚の試料をいずれも長さ方向中央部にて直角に折り曲げた。
この折り曲げた試料同士を対向させて互いの端部をつきあわせて、四角筒（３１ｍｍ角×長さ５７ｍｍ）状の試料となし、この四角筒状試料の下端側を内寸３１ｍｍ角の正方形の有底型枠に装着した。
さらに、同型の型枠を四角筒状試料の上端側に装着し、この上下の型枠間の距離を５ｍｍ／ｍｉｎの速度で縮め型枠同士が接触する前に観察される最大応力の値を座屈強度として測定した（図５参照）。
結果を、表１に示す。
【００３７】
（比較例１）
最大高さ粗さ（Ｒｚ）＝０．３μｍのポリイミド樹脂層を形成させたこと以外は実施例１と同様にウェッジを作製し、実施例１と同様に評価を実施した。
結果を、表１に示す。
【００３８】
（従来例）
アラミド紙（商品名「ノーメックスペーパー」：５０μｍ）／接着層（２１μｍ）／ポリエチレンナフタレート樹脂層（１８８μｍ）／接着層（２１μｍ）／アラミド紙（商品名「ノーメックスペーパー」：５０μｍ）の５層構造の総厚み３４０μｍの従来広く用いられている絶縁シートを用いた以外は、実施例１と同様にウェッジを作製し実施例１と同様に、この従来例の評価を実施した。
結果を、表１に示す。
【００３９】
（比較例２）
比較例２として、厚み約２５０μｍのアラミド紙（商品名「ノーメックスペーパー」）単独のシートを絶縁シートとし実施例１と同様にウェッジを作製し実施例１と同様に評価を実施した。
結果を、表１に示す。
【００４０】
（比較例３）
比較例３として、厚み約３７０μｍのアラミド紙（商品名「ノーメックスペーパー」）単独のシートを絶縁シートとし実施例１と同様にウェッジを作製し実施例１と同様に評価を実施した。
結果を、表１に示す。
【００４１】
【表１】
0005190231.tif 000002
【００４２】
この表１からも、本発明によれば、アラミド紙などが用いられた従来の絶縁シートに比べてスロットへの挿入作業性が低下することが抑制され、しかも、従来の絶縁シートに比べて薄肉化を図ることができる絶縁シートを提供し得ることがわかる。
【図面の簡単な説明】
【００４３】
【図１】誘導モータの断面を示した概略図。
【図２】図１の記号「Ａ」で示されている領域を拡大した拡大図。
【図３】従来の絶縁シートを用いた場合を示した拡大図。
【図４】ウェッジ試料の説明図（平面図）。
【図５】座屈強度測定方法を示す説明図。
【符号の説明】
【００４４】
１０：回転軸、２０：ロータコア、３０：ステータコア、３１：スロット、３２：ティース、３２ａ：広幅部、４０：巻線、５１、５１ｘ：スロットライナ、５２、５２ｘ：ウェッジ、Ａ：すき間、Ｃ：角部
【図１】
0005190231.tif 000003
【図２】
0005190231.tif 000004
【図３】
0005190231.tif 000005
【図４】
0005190231.tif 000006
【図５】
0005190231.tif 000007